Podtech/llm-jp-corpus-v4-ja_patent huggingface dataset:
(57)【要約】      （修正有）【課題】手早く簡単に高さ調節ができかつ高さの違いが視認しやすいミニハードルを提供する。【解決手段】多段ギヤ式リクライニング機構４を左右に有し、かつそれぞれのギヤ側７には、接続用パイプ５を介してコの字形に成形されたハードル用パイプ２を被せるが調節ノブ８で長さを調節できるようにし、又、それぞれのギヤ反対側にはやはり接続用及びウエイト兼用金属丸棒６を介して接地用パイプ３を被せ固定ネジ７で固定してある。手で押すことのみでハードルパイプ２の角度が多段階に変えることにより高さが変わる。又、ベルトを装着してなるので視認が容易となり副次的課題をも解決している。【選択図】図１
0003130616.tif 000002
【実用新案登録請求の範囲】
【請求項１】
パイプと接続できる多段ギヤ式リクライニング機構を左右に有し、かつそれぞれのギヤ側には、接続用パイプを介してコの字形に成形されたハードル用パイプを被せるが調節ノブで長さを調節できるようにし、又、それぞれのギヤ反対側にはやはり接続用及びウエイト兼用金属丸棒を介して接地用パイプを被せ固定ネジで固定してなる角度可変のミニハードル。
【請求項２】
コの字形のパイプに装着できるよう両端を筒状に、かつ中央部にも同様の筒状部を別に有するベルトを装着してなる請求項１記載の角度可変のミニハードル。
【考案の詳細な説明】
【技術分野】
【０００１】  本考案は、スポーツ時の足腰ウオーミングアップや日常の脚力維持及び強化のためのミニハードルに関するものである。
【背景技術】
【０００２】  従来、各種のスポーツ選手が試合に臨む前に足腰のウオーミングアップとして、いわゆるミニハードルを利用してきた。適当な間隔で複数個並べて早足でこれらをまたいで何度か繰り返すというものである。基本的には陸上競技で使用するタイプの小型のもの、つまり足が触れると簡単に前方へ倒れやすくなった構造のものや、一方で単なる柵状のものもあった。これらには上げ下げ機構で高さを調節できるものもある。当然、障害競走とは異なるので高さも低いものでよく、かつ設置や収納に便利なように軽量で折りたためるものもある。視認しやすくするためにカラフルにしたり縞模様を書き込んだものもある。ハードル自体の素材は木や金属パイプ、樹脂などさまざまのものが見られる。家庭や医療施設などで脚力維持もしくは強化目的で使用する場合には、早足ではなく反復運動が目的なので単体で使用することも増えてきた。
【考案の開示】
【考案が解決しようとする課題】
【０００３】  背景技術でも述べたように、従来のトレーニング用のミニハードルはスポーツ用として例えば野球、サッカー、ラグビー、アメリカンフットボールといった団体球技や、最近では家庭で又医療施設等でも利用されるケースが増えてきている。スポーツ用途でいえば、よりトレーニング効果を上げるためには順次並べたミニハードルの高さに変化をつけることが多く見られるようになった。瞬時の判断と肉体反応を高めるためである。しかし、従来のミニハードルではねじ止めの高さ調節が多いので調節に手間がかかっていた。家庭や医療施設でも同じことが言える。従って、従来の技術から発想を転換して、手早く簡単に高さ調節ができかつ高さの違いが視認しやすいミニハードルを提供しようとするものである。
【課題を解決するための手段】
【０００４】  本考案は、請求項１に関して言えば、パイプと接続できる多段ギヤ式リクライニング機構を左右に有し、かつそれぞれのギヤ側には、接続用パイプを介してコの字形に成形されたハードル用パイプを被せるが調節ノブで長さを調節できるようにし、又、それぞれのギヤ反対側にはやはり接続用及びウエイト兼用金属丸棒を介して接地用パイプを被せ固定ネジで固定してある。この様な構造のため、手で押すことのみでハードルパイプの角度が多段階に変えることにより高さが変わり前述の課題を解決できる。【０００５】  又、請求項２に関して言えば、コの字形のパイプに装着できるよう両端を筒状に、かつ中央部にも同様の筒状部を別に有するベルトを装着してなるので視認が容易となり、又、倒して重ねる場合でも傷つきにくいという副次的課題をも解決している。【０００６】  多段ギヤ式リクライニング機構は実用上１２段程度で構わない。又、パイプ素材はアルミを用いれば軽量化に役立つ。
【考案の効果】
【０００７】  上述のように本考案の角度可変のミニハードルは、請求項１に関して言えば、リクライニング機構により多段的に角度変化が付けられ、つまり高さがワンタッチでかえられるので、変化にとんだトレーニングに対応できる。又、アルミパイプを使用すれば軽量で設置や収納にも便利である。【０００８】  請求項２に関して言えば、ベルトがあることにより視認効果が高まり、同時にロゴ等が入れられるなど広告媒体効果も加わる。
【考案を実施するための最良の形態】
【０００９】  請求項１に関して言えば、ハードル用パイプ及び接地用パイプはアルミもしくはスチールで、直径は２０ｍｍ程度のものを用いる。アルミは着色アルマイト加工が美麗で好ましい。通常のスチールなら焼付け塗装するが、ステンレススチールならばそのままでも構わない。このパイプが接続できる多段ギヤ式リクライニング機構は既成のものでよく、コスト上も実用上からも１２段程度で構わない。ハードルパイプの幅は最大６０ｃｍ程度までに、高さ調節はノブで行うが、１０ｃｍ程度にとどめて直角にした場合の高さも最大で４０ｃｍ程度が好ましい。接地用パイプの長さは、ハードル用のパイプを最低の高さにしてもつまり最低の角度にしても自立することが必要で、中に接続用及びウエイト兼用金属丸棒を内蔵させる。【００１０】  請求項２に関して言えば、ベルトの素材は軟質塩ビでも帆布でも構わないが、足でけられても容易に破損しないものを用いる。印刷を入れれば美麗で好ましい。装着にはマジックテープで着脱式にしてもよい。
【実施例】
【００１１】以下、添付図面に従って一実施例を説明する。１は角度可変のミニハードル、２はハードルパイプ、３は接地用パイプ、４は多段ギヤ式リクライニング機構、５は接続用パイプ、６は接続及びウエイト兼用金属丸棒、７はギヤ側、８は調節ノブ、９はベルト、１０は筒状部、１１は固定ネジである。
【産業上の利用可能性】
【００１２】  本考案は以上のように構成されるので、スポーツ時の足腰ウオーミングアップや日常の脚力維持及び強化のためのミニハードルとして極めて有用である。
【図面の簡単な説明】
【００１３】
【図１】本考案の角度可変のミニハードルで、請求項１の実施例を示す斜視図である。
【図２】本考案の角度可変のミニハードルで、請求項２の実施例を示す斜視図である。
【符号の説明】
【００１４】  １  角度可変のミニハードル
２  ハードル用パイプ
３  接地用パイプ
４  多段ギヤ式リクライニング機構
５  接続パイプ
６  接続及びウエイト兼用金属丸棒
７  ギヤ側
８  調節ノブ
９  ベルト
１０  筒状部
１１  固定ネジ
【図１】
0003130616.tif 000003
【図２】
0003130616.tif 000004
(57)【要約】【課題】プリンタで印刷出来、したがって毛筆、筆ペン等で書く手間が省け、かつ１枚、１枚分離して入っているので、印刷もしやすい、プリンタ対応の印刷用和紙の中紙が入っているのし袋を提供すること。【解決手段】のし袋と，当該のし袋の中に入れる、プリンタ対応の印刷用和紙の中紙と，当該中紙が１枚１枚分離して、当該のし袋の中に入っていること，からなる。又、前記プリンタ対応の印刷用和紙の中紙が、目録記載用として１枚及び重ね合わせ用として１枚であることからなる。【選択図】図２
0003130645.tif 000002
【実用新案登録請求の範囲】
【請求項１】
のし袋と，
当該のし袋の中に入れる、プリンタ対応の印刷用和紙の中紙と，
当該中紙が１枚１枚分離して、当該のし袋の中に入っていること，
からなることを特徴とする中紙が入っているのし袋。
【請求項２】
前記プリンタ対応の印刷用和紙の中紙が、目録記載用として１枚及び重ね合わせ用として１枚であることを特徴とする請求項１記載の中紙が入っているのし袋。
【考案の詳細な説明】
【技術分野】
【０００１】
本考案は、中紙が入っているのし袋、特に中紙がプリンタ対応の印刷用和紙であるのし袋に関する。
【背景技術】
【０００２】
従来より、祝儀及び贈呈用等の、のし袋には、贈呈目録等を記載する中紙が入っていることが通例である。又、この中紙は和紙でできているのが通例であり、大判の和紙を小さく折りたたんでのし袋に入っているものである。
又、この和紙に目録を記載する場合、毛筆や筆ペンを使用していた。
和紙は、紙の腰が弱い、紙粉がでる、表面が毛羽立ち（印刷）版汚れが起こる、印抜けし給紙がスムーズにいかない等の機械適正上、並びに印刷適正上、又紙のサイズの適正上の欠点からプリンタでの印刷には適さないためである。
【０００３】
しかし、近年の印刷機の高度化やコピー機などのＯＡ機器の普及に伴い、プリンタ対応の和紙が考案され、すでに市販され、特許権が成立しているものもある（例えば特許文献１参照。）。
【特許文献１】特許第３１３７２０７号公報
【考案の開示】
【考案が解決しようとする課題】
【０００４】
本考案者らは、このプリンタ対応の印刷用和紙を、のし袋に入っている目録を記載するものとして使用すれば、非常に手間が省け便利であろうと考え本考案を完成した。また、中紙の通例の折り方を止め、二枚重ねとし略式化した。
そこで、本考案は、プリンタ対応の印刷用和紙の中紙が入っているのし袋を提供することを目的とする。
【課題を解決するための手段】
【０００５】
前記目的を達成するため、本考案の中紙が入っているのし袋は、
のし袋と，
当該のし袋の中に入れる、プリンタ対応の印刷用和紙の中紙と，
当該中紙が１枚１枚分離して、当該のし袋の中に入っていること，
からなる。
【０００６】
又、前記プリンタ対応の印刷用和紙の中紙が、目録記載用として１枚及び重ね合わせ用として１枚であることが好適である。
【考案の効果】
【０００７】
中紙が、プリンタ対応の印刷用和紙であるため、プリンタで印刷出来、したがって毛筆、筆ペン等で書く手間が省け、かつ１枚、１枚分離して入っているので、印刷もしやすいものである。
【考案を実施するための最良の形態】
【０００８】
本考案の実施の１例を図面に従って説明する。
図１は本考案の、一般的な贈呈用途の贈呈用目録の、のし袋を示す図である。
図示していないが、のし袋１の中にプリンタ対応の印刷用和紙の中紙２，３が入っている。
【０００９】
図２は本考案のプリンタ対応の印刷用和紙の中紙を示す図であり、１枚、１枚分離している状態を示す図である。図示の如く、中紙２に目録の内容が印刷されているように、一枚の中紙２がプリンタにより目録を印刷するためのものであり、もう一枚の中紙２’はプリンタの不具合等により印刷ミスがあった場合の予備のものである。あとの１枚は重ね合わせ用の中紙３である。又、折り目４，４’に沿って三つ折りにするものである。
本考案のプリンタ対応の印刷用和紙を使用すれば、パソコン等で目録を作成しプリンタで印刷することができるので、同じ目録ののし袋が何枚も必要となる場合に手書きする必要が全くなく、特に便利である。
【００１０】
中紙２，３の大きさ（又、予備の中紙２’がある場合は予備の中紙２’）は、プリンタに対応したＪＩＳ規格（例えば、Ｂ５，Ａ４，Ａ３等）に準ずるが、その他の大きさでも良い。
中紙２，３、（又、予備の中紙２’がある場合は予備の中紙２’）は、Ｂ５，Ａ４，Ａ３その他の大きさであっても印刷し易くするため、１枚、１枚分離しているものである。
【図面の簡単な説明】
【００１１】
【図１】一般的な贈呈用途の贈呈用目録の、のし袋を示す図である。
【図２】プリンタ対応の印刷用和紙の中紙を示す図である。
【符号の説明】
【００１２】
１    のし袋
２    印刷用の中紙
２’  予備の印刷用の中紙
３    重ね合わせ用の中紙
【図１】
0003130645.tif 000003
【図２】
0003130645.tif 000004
(57)【要約】      （修正有）【課題】一切工具不要なレンズとレンズフレームの組合せ構造を提供する。【解決手段】主に相互に独立したレンズとレンズフレーム上に形成し、弾性クリップ、係合槽、凸粒を含む。該弾性クリップはおよそ逆「U」型を呈し、該レンズフレーム中梁上に固定し、該弾性クリップの頂部には下方に向かう湾曲フックを形成し、該弾性クリップの下方には外へと突出した弾性フックを形成する。該レンズは一体に繋がった左右２枚のレンズと中梁を含み、該レンズ中梁の上辺縁は該係合槽と該弾性クリップの湾曲フックと係合し、該レンズ中梁下方の両側は該凸粒及び該弾性クリップの弾性フックと係合する。レンズは該係合槽と該湾曲フック、該凸粒と該弾性フックの係合により、該レンズフレームと一体に組合せられ、この構造は一切の工具を必要としないため、レンズとレンズフレームの分解がさらに便利となる。【選択図】図３
0003130647.tif 000002
【実用新案登録請求の範囲】
【請求項１】
主に相互に独立したレンズとレンズフレーム上に形成し、弾性クリップ、係合槽、凸粒を含み、
該弾性クリップはおよそ逆「U」型を呈し、該レンズフレーム中梁上に固定し、該弾性クリップの頂部には下方に向かう湾曲フックを形成し、該弾性クリップの下方には外へと突出した弾性フックを形成し、
該レンズは一体に繋がった左右２枚のレンズと中梁を含み、該レンズ中梁の上辺縁は該係合槽と該弾性クリップの湾曲フックと係合し、該レンズ中梁下方の両側は該凸粒及び該弾性クリップの弾性フックと係合し、
該レンズは該係合槽と該湾曲フック、該凸粒と該弾性フックの係合により、該レンズフレームと一体に組合せられることを特徴とするレンズとレンズフレームの組合せ構造。
【請求項２】
前記弾性クリップの下方両端にはそれぞれ鼻パッドを固定することを特徴とする請求項１記載のレンズとレンズフレームの組合せ構造。
【考案の詳細な説明】
【技術分野】
【０００１】
本考案は一種の眼鏡に関する。特に一種のレンズとレンズフレームの組合せ構造に係る。
【背景技術】
【０００２】
現在、眼鏡のレンズとレンズフレームの組合せ構造は固定式と取外し式の２種に分けられる。
該固定式組合せ構造では、レンズとレンズフレームは隨意に分解することはできず、専用の工具を用いなければレンズ或いはレンズフレームを交換することができない。
一方、取外し式組合せ構造では専用の工具を用いなくとも、便利にレンズとレンズフレームを分解可能で、隨意にレンズ或いはレンズフレームを交換することができる。
現代社会では生活水準の向上に伴い、眼鏡の役割は視力の矯正（近視鏡、遠視鏡、老眼鏡）や遮光（サングラスなど）に留まらず、アクセサリーとして多く用いられている。異なる衣服、髮型、化粧などに合わせて異なる色、形状のレンズ或いはレンズフレームの眼鏡を選択するなどで、極めて優れた装飾効果を発揮している。
多くの色、形状のレンズと多くの色、形状のレンズフレームを相互に対応させれば、数え切れない形態の眼鏡を組合せることができるが、固定式眼鏡を採用するなら消費者はより多くの支出を強いられる。しかし、取外し式眼鏡を採用するなら、必要に応じて隨意に各種色、形状のレンズ或いはレンズフレームに交換することができるため、この点において取外し式組合せ構造は優越している。
公知の取外し式レンズとレンズフレームの組合せ構造の多くは、分解に専用の工具を用いる必要はないが、やはりいくらかは簡単な工具或いはより強い力を使い分解する必要があり、このためレンズとレンズフレームの組合せをいささか不便にしている。
本考案人は公知の取外し式組合せ構造の不足に対して改良を加え、一切工具が不要で、分解をさらに便利にする組合せ構造を開発した。
【考案の開示】
【考案が解決しようとする課題】
【０００３】
本考案は上記構造の問題点を解決したレンズとレンズフレームの組合せ構造を提供するものである。
【課題を解決するための手段】
【０００４】
上記課題を解決するため、本考案は下記のレンズとレンズフレームの組合せ構造を提供する。
それは主にレンズとレンズフレームの組合せ構造を提供し、それは一切の工具を必要とせず、レンズとレンズフレームの分解をさらに便利にし、
すなわちそのレンズとレンズフレームの組合せ構造は相互に独立したレンズとレンズフレーム上に形成し、弾性クリップ、係合槽、凸粒を含み、
該弾性クリップはおよそ逆「U」型を呈し、該レンズフレーム中梁上に固定し、
該弾性クリップの頂部には下方に向かう湾曲フックを形成し、該弾性クリップの下方には外へと突出した弾性フックを形成し、
該レンズは一体に繋がった左右２枚のレンズと中梁を含み、該レンズ中梁の上辺縁は該係合槽と該弾性クリップの湾曲フックと係合し、該レンズ中梁下方の両側は該凸粒及び該弾性クリップの弾性フックと係合し、該レンズは該係合槽と該湾曲フック、該凸粒と該弾性フックの係合により、該レンズフレームと一体に組合せられ、
該弾性クリップの下方両端にはそれぞれ鼻パッドを固定し、
上記構造を採用後、本考案は完全に該弾性クリップの弾性、該レンズの係合槽と該弾性クリップの湾曲フックの係合により、該レンズの凸粒と該弾性クリップの弾性フックを係合し、こうしてレンズとレンズフレームは堅固に組合せられるため、本考案は分解に一切の工具が不要で、さらに便利であるレンズとレンズフレームの組合せ構造を提供する。
【考案の効果】
【０００５】
上記のように、本考案の組合せ操作は非常に便利で、分解操作はそれを反対に行うだけで良く、同じく極めて便利である。
【考案を実施するための最良の形態】
【０００６】
図1に示すように、本考案のレンズ1とレンズフレーム2の組合せ構造は相互に独立したレンズ1とレンズフレーム2上に形成し、該レンズ1は一体に繋がった左右２枚のレンズと中梁を含む。
該組合せ構造は弾性クリップ3、係合槽4、凸粒5を含む。
該弾性クリップ3はおよそ逆「U」型を呈し、該レンズフレーム2中梁上に固定する。該弾性クリップ3の頂部には下方に向かう湾曲フック31を形成し、該弾性クリップ3の下方には外へと突出した弾性フック32を形成する。
鼻パッド6は該弾性クリップ3の下方両端に直接固定する。
該レンズ1中梁の上辺縁は該係合槽4と該弾性クリップ3の湾曲フック31と係合し、該レンズ1中梁下方の両側は該凸粒5及び該弾性クリップ3の弾性フック32と係合する。
【０００７】
本考案の組み立て時には、図2に示すように、手で該弾性クリップ3の２個の弾性フック32を押し相互に寄せ、さらに該レンズ1の係合槽4と該弾性クリップ3の湾曲フック31を係合する。続いて該レンズ1の凸粒5と該弾性クリップ3の弾性フック32を揃え、さらに手を離し該２個の弾性フック32への圧迫を停止すると、該２個の弾性フック32は弾性作用により外に向かい該凸粒5と係合する。こうして該レンズ1と該レンズフレーム2は堅固に組合せられる（図3参照）。
【図面の簡単な説明】
【０００８】
【図１】本考案の立体分解図である。
【図２】本考案の組合せ動作図である。
【図３】本考案組合せ後の指示図である。
【符号の説明】
【０００９】
1  レンズ
2  レンズフレーム
3  弾性クリップ
31  湾曲フック
32  
弾性フック
4  係合槽
5  凸粒
6  鼻パッド
【図１】
0003130647.tif 000003
【図２】
0003130647.tif 000004
【図３】
0003130647.tif 000005
(57)【要約】【課題】屋根又は竪樋のドレン、塵除け目皿に詰まる木の葉などのゴミを竪樋の下部で簡単に除去できるようにする。【解決手段】リーフキャッチャー１の下端を地盤面から４０ｃｍ位の高さに設置して竪樋６ａと６ｂに接続する。このときにサイズが異なった径であればアダプター４を用いて接続する。屋上のドレン又は、軒樋を通して雨水と共に竪樋６ａに流れ込んでくる木の葉などのゴミを立体目皿２で受け開口部５より取り除く。この開口部５が不具合な場所にリーフキャッチャーを使用するときはカバー３を取付ける。  カバーの上下にダルマ状の穴８，９が上下に開いており、下の大きな穴を本体１の上下にある突起棒７に入れ少し下げれば小さな穴９に突起棒７の頭が引っ掛かり固定される。【選択図】図１
0003130606.tif 000002
【実用新案登録請求の範囲】
【請求項１】
竪樋の地盤面より４０ｃｍ位の高さにリーフキャッチャーを、設置し上部と下部を竪樋に接続し、このリーフキャチャーの下部に円錐状の立体目皿を置き、屋根から流れてくる木の葉などのゴミを受け止め、開口部より手で取り出す。
【請求項２】
リーフキャチャーと竪樋の径が異なるときはアダプターを取付けるが、これは背面の壁などとの距離がそれぞれ同じくらいになるように偏心している。
【請求項３】
リーフキャチャーの開口部が不都合である場所で使用する場合はカバーを取り付けるが簡単に脱着できるように、開口部正面の上下に突起棒を取付け、そこにカバー側上下にあるダルマ状の穴（上が小さく下が大きい）の下の穴を入れ少し下げれば上部の小さな穴に突起棒の頭が引掛かり固定される。
【考案の詳細な説明】
【技術分野】
【０００１】本考案は、竪樋の下部に木の葉などを集め除去するものである。
【背景技術】
【０００２】美術館、博物館など高所で簡単に屋根に上れない場合、木の葉などが堆積した時には、高所作業用の重機械を利用して除去していた。
【考案の開示】
【考案が解決しようとする課題】
【０００３】重機械を利用する事は、そのリース費用も高額であり、高所などで危険も伴うので、地上で作業が出来、毎日簡単に除去しようとするものである。
【課題を解決するための手段】
【０００４】本考案は竪樋本体の一部に木の葉などのゴミを堆積させ、立体目皿により多少のゴミが溜まっても雨水は排出されるし又、正面の開口部より簡単に手で除去できる。設置場所により開口部が都合が悪い場合は同材料でカバーをする事ができる。
【考案の効果】
【０００５】上記の様に本考案のリーフキャッチャーは従来、人間が屋根に上って作業していた作業を地上の作業に変えたことで安全で、費用面で役立つ。
【考案を実施するための最良の形態】
【０００６】竪樋の地盤面より４０ｃｍ位の高さにリーフキャッチャーを、設置し上部と下部を竪樋に接続する。このリーフキャチャーの下部に円錐状の立体目皿を置き、屋根から流れてくる木の葉などのゴミを受け止め、開口部より手で取り出す。
【実施例】
【０００７】以下、添付図面に従って一実施例を説明する。１は耐久性の合成樹脂等、又は、ステンレスにて一体化形成されたリーフキャッチャー本体、２は降雨時に上部から流れ落ちて来る木の葉などのゴミを受け留め、雨水のみを流す立体型の目皿で取出しは自由にできる。立体型になっているために多少木の葉が溜まっても中央の高い部分より雨水は下方の竪樋に流す事が可能である。３はカバーで、降雨時に開口部５から漏れるのを防ぐ為に取付けるものです。カバーの上下にダルマ状の穴８，９が上下に開いており、下の大きな穴を本体１の上下にある突起棒７に入れ少し下げれば小さな穴９に突起棒７の頭が引っ掛かり固定される。アダプター４はリーフキャッチャー１の径より竪樋６の径が小さい場合に用いるもので合成樹脂等の部材には接着剤でステンレスの場合には溶接で固定する。
【産業上の利用可能性】
【０００８】美術館、博物館など高所で簡単に屋根に上れない場合、木の葉などが堆積した時には、高所作業用の重機械を利用して除去していたが重機械を利用する事は、そのリース費用も高額であり、高所などで危険も伴うので、地上で作業が出来、毎日簡単に除去出来れば既存の建物にも利用できる。
【図面の簡単な説明】
【０００９】
【図１】本考案のリーフキャッチャーの縦断面図である。
【図２】本リーフキャッチャーの水平断面図Ａ−Ａ’である。
【図３】本リーフキャッチャーの水平断面図Ｂ−Ｂ’である。
【図４】本リーフキャッチャーの水平断面図Ｃ−Ｃ’である。
【図５】横立面図である。
【図６】カバー部分の正面図である。
【図７】カバー部分の断面図である。
【符号の説明】
【００１０】１  リーフキャッチャー本体
２  立体目皿
３  カバー
４  アダプター
５  開口部
６ａ  竪樋上部
６ｂ  竪樋下部
７  突起棒
８  ダルマ状上穴
９  ダルマ状下穴
１０  外壁面
１１  地盤面
【図１】
0003130606.tif 000003
【図２】
0003130606.tif 000004
【図３】
0003130606.tif 000005
【図４】
0003130606.tif 000006
【図５】
0003130606.tif 000007
【図６】
0003130606.tif 000008
【図７】
0003130606.tif 000009
【手続補正書】
【提出日】平成18年12月25日(2006.12.25)
【手続補正１】
【補正対象書類名】実用新案登録請求の範囲
【補正対象項目名】全文
【補正方法】変更
【補正の内容】
【実用新案登録請求の範囲】
【請求項１】
竪樋の地盤面より４０ｃｍ位の高さにリーフキャチャーを設置して上部と下部を竪樋に接続し、このリーフキャッチャーの下部に円錐状の立体目皿を置き、屋根から流れてくる木の葉などのゴミを受け止め、開口部より手で取り出せることを特徴とするリーフキャッチャー。
【請求項２】
リーフキャッチャーと竪樋の径が異なるときはアダプターを取付けるが、これは背面の壁などとの距離がそれぞれ同じくらいになるように偏心しているので、既存の竪樋にも取付ける事ができる特徴を持った請求項１記載のリーフキャチャー。
【請求項３】
リーフキャッチャーの開口部が不都合である場所で使用する場合はカバーを取付けるが簡単に脱着できるように、開口部正面の上下に突起棒を取付け、そこにカバー側上下にあるダルマ状の大きな下穴を入れ、少し下げれば上部の小さな穴に突起棒の頭が引掛かり固定される事を特徴とする請求項１記載のリーフキャッチャー。
(57)【要約】      （修正有）【課題】本考案は使い勝手の良いマスクを提供する。【解決手段】本考案は粘着テープを採用したことで紐なしで口・鼻・に装着できる。【選択図】図１
0003130605.tif 000002
【実用新案登録請求の範囲】
【請求項１】
粘着テープより成るテープ本体に複数の孔を貫通すると共に該テープ本体の一面に布を取り付けた口用兼鼻用のテープマスク。
【考案の詳細な説明】
【技術分野】
【０００１】本考案は、構成簡単にして安価に提供できる口用兼鼻用のテープマスクである。
【背景技術】
【０００２】従来の例えば風邪マスクは、口と鼻を一つのマスクで覆うようにした一体式のため、次のような多くの欠点を有する。
ａ・マスクの内側、特に口と鼻の間に熱が溜まって息苦しい。
ｂ・メガネ使用中にメガネが曇る。
ｃ・マスクの使用には耳に掛けるゴムひも又は布ひもが必要なので負担がある。
ｄ・マスクは重くて幅広のため、とくに目を下にむけたとき視野をふさぐことになる。
【考案の開示】
【考案が解決しようとする課題】
【０００３】本考案は、使い勝手等が良いマスクを提供することにある。
【課題を解決するための手段】
【０００４】  本考案は、口用と鼻用に分けると共に簡単な構成にしたことで、従来品の欠点を解決した。
【考案の効果】
【０００５】  本考案は、口用と鼻用に分離したことで、マスク内に熱が溜まりにくくしてメガネが曇ることはなく、且つ、耳に掛ける紐が不要でうっとおしい負担等が取除かれ、また小型にて軽いため視野を妨げるようなこともなく、しかも粘着テープをカットし一面に布を取り付けるという簡単な構成で安価に提供できる等、多くの利点を有する。
【実施例】
【０００６】  本考案の実施例を図面で説明すると、図１〜３は例えば口用テープマスクを示すもので、１は粘着テープを口を包むサイズカットされて成るマスク本体であって、該マスク本体１には息のできる孔２が貫通されて成り、且つこのマスク本体１の口に当たる部分の一面にはガーゼ等の布３が取り付けられ花粉やハウスダスト｛ノミ・ダニ・粉塵・煤煙｝等の侵入を防止するもので、これの口部への取付けはマスク本体１の粘着部によって図３のように容易に取付けられる。【０００７】  図１Ａ〜３Ａは別実施例たる例えば鼻用テープマスクを示すもので、１Ａは粘着テープを鼻を包むサイズにカットされて成るマスク本体であって、該マスク本体１Ａには息のできる孔２Ａが貫通されて成り、且つこのマスク本体１Ａの鼻に当たる部分の一面にはガーゼ等の布３Ａが取り付けられて花粉やハウスダスト等の侵入を防止するもので、これの鼻部への取付けはマスク本体１Ａの粘着部４Ａによって図３Ａのように容易に取付けられる。
【図面の簡単な説明】
【０００８】
【図１】  本考案の口用テープマスクの平面図である。
【図１Ａ】  本考案の鼻用テープマスクの平面図である。
【図２】  本考案の口用テープマスクの裏面図である。
【図２Ａ】  本考案の鼻用テープマスクの裏面図である。
【図３】  本考案の口用テープマスクの使用状態を示す斜面図である。
【図３Ａ】  本考案の鼻用テープマスクの使用状態を示す斜面図である。
【符号の説明】
【０００９】  １，１Ａ        マスク本体
２，２Ａ        孔
３，３Ａ        布
４．４Ａ        粘着部
【図１】
0003130605.tif 000003
【図２】
0003130605.tif 000004
【図３】
0003130605.tif 000005
【図１Ａ】
0003130605.tif 000006
【図２Ａ】
0003130605.tif 000007
【図３Ａ】
0003130605.tif 000008
(57)【要約】【課題】大人でも、複数付けると、頭や首に負担がかかるくらい重いうえ、旅行に行く際にはかさばって荷物になる。そこで軽くてかさばらず熱や電気を使用しなくても、髪の毛をカールすることができるものを提供すること。【解決手段】カーラー本体を弾力のあるスポンジ状の素材を使用することで、軽くなり、頭や首の負担がなくなる。ＡからＢに巻きつけることで、スポンジが圧縮され毛先まで巻き込めるうえ、ＣからＤをゴムで留めしばらくの間固定することで熱を使わなくても髪の毛をカールすることができる。またセットするとハート型や花型に見えカーラー自体が髪飾りになる。【選択図】図１
0003130603.tif 000002
【実用新案登録請求の範囲】
【請求項１】
弾力のあるウレタンフォームなどスポンジ状の素材でできており、複数つけても重さを感じない。サイドに切り目を入れることで、ゴムで簡単に固定でき、また毛髪にセットすると、ハート型や花型になり髪飾りとしても使用できることを特徴とするヘアカーラー。
【考案の詳細な説明】
【技術分野】
【０００１】本考案は、毛髪を巻きつけてカールさせるためのヘアカーラーに関するものである。
【背景技術】
【０００２】ヘアカーラーの多くは、プラスチックや金属などの硬質素材が多く、多数のカーラーを巻きつけると、頭や首に負担がかってしまう。ホットカーラーの場合、電気を使用するためカーラーを暖める機械とカーラーとでかなりの重量になり旅行の際には荷物になる。また熱を利用するものは子供に巻いてあげる場合、不安である。
【考案の開示】
【考案が解決しようとする課題】
【０００３】カーラーの重量を軽くすることと熱を必要としないことを課題とした
【課題を解決するための手段】
【０００４】カーラー自体をウレタンフォームなどのスポンジ素材を使用して、重量を軽くし、さらに髪の毛を巻きつけやすいデザインにする。
【考案の効果】
【０００５】スポンジの弾力が巻く際に程よく沈み、手軽に巻きつけることができ、毛先まで巻き込めるので、熱を使わなくても従来のカーラー同様のしっかりとしたカールがつくれる。また大幅に重量が減少したので、複数付けても、頭や首には負担がかからず、逆に髪飾りのようである。
【考案を実施するための最良の形態】
【０００６】縦４０ｍｍ、横７５ｍｍ、厚さ１５ｍｍ程度のサイズが、適している。スポンジの硬さにもよるが、これ未満でも以上でも、巻く際にうまく巻けない場合がある。
【実施例】
【０００７】実施例を図３、図４を参照して説明します。【０００８】まず図３の横ＡからＢ（もしくはＢからＡ）に毛先から巻きつけていきます。次にカールさせたいところまで巻いたらカーラーを真ん中（Ｅ部分）から二つに折り曲げます。折り曲げたら図４のＣからＤをゴムで固定します。
【産業上の利用可能性】
【図面の簡単な説明】
【０００９】
【図１】本考案ヘアカーラーの全体図である。
【図２】本ヘアカーラーの上から見た図と横から見た図である。
【図３】本ヘアカーラーの実施例１
【図４】本ヘアカーラーの実施例２
【符号の説明】
Ａ→Ｂ（Ｂ→Ａ）毛髪を巻きつける位置及び方向
Ｃ→Ｄ（Ｄ→Ｃ）ゴムで固定する位置
Ｅ  カーラーを折り曲げる位置
Ｒ  Ｒの部分
Ｇ  カットした部分
Ｈ  毛髪
Ｆ  ゴム
１  カーラーの横サイズ  ７５ｍｍ
２  カーラーの縦サイズ  ４０ｍｍ
３  カーラーの厚さ  １５ｍｍ
４  カット（切り込み）の長さ  １５ｍｍ
【図１】
0003130603.tif 000003
【図２】
0003130603.tif 000004
【図３】
0003130603.tif 000005
【手続補正書】
【提出日】平成18年12月5日(2006.12.5)
【手続補正１】
【補正対象書類名】実用新案登録請求の範囲
【補正対象項目名】全文
【補正方法】変更
【補正の内容】
【実用新案登録請求の範囲】
【請求項１】
弾力のあるウレタンフォームなどスポンジ状の素材を使用した平面と曲面で構成された横７０ｍｍから８０ｍｍ程度、縦３５ｍｍから４５ｍｍ程度、厚さ１０ｍｍから２０ｍｍ程度の多面体で、横にはゴムで髪を固定するために１０ｍｍから２０ｍｍ程度の切り込みをいれたことを特徴とするヘアカーラー。
【手続補正２】
【補正対象書類名】明細書
【補正対象項目名】符号の説明
【補正方法】変更
【補正の内容】
【符号の説明】Ａ→Ｂ（Ｂ→Ａ）  毛髪を巻きつける位置及び方向Ｃ→Ｄ（Ｄ→Ｃ）  ゴムで固定する位置Ｅ  カーラーを折り曲げる位置Ｒ  曲面部分Ｇ  切り込み部分Ｈ  毛髪Ｆ  ゴム１  カーラーの横サイズ  ７０ｍｍから８０ｍｍ２  カーラーの縦サイズ  ３５ｍｍから４５ｍｍ３  カーラーの厚さ  １０ｍｍから２０ｍｍ４  切り込みの長さ  １０ｍｍから２０ｍｍ【手続補正３】
【補正対象書類名】図面
【補正対象項目名】図１
【補正方法】変更
【補正の内容】
【図１】
0003130603.tif 000006
【手続補正４】
【補正対象書類名】図面
【補正対象項目名】図２
【補正方法】変更
【補正の内容】
【図２】
0003130603.tif 000007
【手続補正５】
【補正対象書類名】図面
【補正対象項目名】図３
【補正方法】変更
【補正の内容】
【図３】
0003130603.tif 000008
【手続補正６】
【補正対象書類名】図面
【補正対象項目名】図４
【補正方法】変更
【補正の内容】
【図４】
0003130603.tif 000009
(57)【要約】  【課題】目を保護する際に使用する眼帯に関して、目に当てるパッドをずれにくくし、かつ、パッド装着の手間もかからないようにすることを課題とする。  【解決手段】眼帯において、目に当てる繊維質でできたパッドを押さえる、板体からなる押さえ板と、前記押さえ板の裏面に設けられる、複数の針状の突起が配列されることにより形成される滑り止め部材とを設ける。これにより、突起が繊維質でできたパッドに刺さりパッドのずれが防止され、また、押さえつけることで自然に突起がパッドに刺さるので装着も容易にすることができる。【選択図】  図１
0003130654.tif 000002
【実用新案登録請求の範囲】
【請求項１】
目に当てる繊維質でできたパッドを押さえる、板体からなる押さえ板と、
前記押さえ板の裏面に設けられる、複数の針状の突起が配列されることにより形成される滑り止め部材とを有する眼帯。
【請求項２】
前記滑り止め部材は突起の先端に前記パッドを構成する繊維に引っ掛かる形状からなる係合部が形成される請求項１に記載の眼帯。
【請求項３】
前記滑り止め部材は面ファスナーのループ面に対する係合面を有する部材により形成される請求項１又は２に記載の眼帯。
【考案の詳細な説明】
【技術分野】
【０００１】
本考案は眼帯に関し、特に、目に当てるガーゼや綿などの繊維質でできたパッドのずれを抑制できるようにした眼帯に関する。
【背景技術】
【０００２】
目を保護するために使用する眼帯は、プラスチックなどの板体から形成された押さえ板となる本体部分と、本体部分の両縁近傍に固定される耳掛け紐とから構成される。そして、耳掛け紐を両耳に掛けて本体部分を目の上方に位置づけ、押さえ板によってガーゼ等の繊維質できたパッドを目の上に固定することで目を保護する。
【考案の開示】
【考案が解決しようとする課題】
【０００３】
このような構造の眼帯では、本体部分でパッドを目の上に押さえつけて固定するのでパッドがずれやすい。これを防ぐためにパッドを両面テープなどで、固定することも考えられるが、パッドを変える度にテープでパッドを固定するのは面倒である。
本考案は、このような事情に鑑みて、目を保護する際に使用する眼帯に関して、目に当てるパッドをずれにくくし、かつ、パッド装着の手間もかからないようにすることを課題とする。
【課題を解決するための手段】
【０００４】
上記課題を解決するために、本考案は次のような構成を有する。
請求項１に記載の考案は、目に当てる繊維質でできたパッドを押さえる、板体からなる押さえ板と、前記押さえ板の裏面に設けられる、複数の針状の突起が配列されることにより形成される滑り止め部材とを有する眼帯である。繊維質でできたパッドには、ガーゼや板状に加工した綿などが例示される。
請求項２に記載の考案は、前記眼帯において、前記滑り止め部材は突起の先端に前記パッドを構成する繊維に引っ掛かる形状からなる係合部が形成されるものである。なお、係合部の形状としては鉤状の形状やキノコ状の形状などが例示される。
請求項３に記載の考案は、前記眼帯において、前記滑り止め部材は面ファスナーのループ面に対する係合面を有する部材により形成されるものである。  
【考案の効果】
【０００５】
請求項１に記載の考案は、押さえ板の裏面に複数の針状の突起が配列されることで、突起が繊維質でできたパッドに刺さりパッドのずれを防止することができ、また、押さえつけることで自然に突起がパッドに刺さるので装着も簡単である。
請求項２に記載の考案は、突起の先端にパッドに対する係合部が形成されることで、先端部がパッドを構成する繊維に引っ掛かるので、よりずれを防止する効果を高めることができる。
請求項３に記載の考案は、面ファスナーのループ面に対する係合面を有する部材には、針状の突起が無数に配置され、さらに、突起先端はループ面に係合するように鉤状に曲がっていたり、キノコ状に形成されていたりするので、繊維質のパッドに刺さるとともに繊維質に係合してパッドのずれを防止することができる。
【考案を実施するための最良の形態】
【０００６】
以下、本考案の実施の形態について説明する。
図１に本実施形態に係る眼帯Ｘの背面側からみた一部拡大斜視図を示す。眼帯Ｘは長方形状のプラスチックにより形成される板体からなる押さえ板１０と、押さえ板１０の両側縁に設けられる耳掛け紐２０と、押さえ板１０の裏面に設けられる滑り止め部材３０とから形成される。押さえ板１０及び耳掛け紐２０は、従来の眼帯とほぼ同様の構成である。
滑り止め部材３０は、面ファスナーのループした線材が複数配列されるループ面に係合する係合面を構成する部材により形成されている。図２に滑り止め部材３０の拡大縦端面図を示す。図に示すように滑り止め部材３０はシート状の基材３１の上に弾性のあるプラスチックでできた針状の突起３２が複数配列されているものであって、突起の先端は鉤状になった係合部が形成されている。
【０００７】
次に、以上のような構成を有する眼帯Ｘの作用について説明する。眼帯Ｘは使用に際しては、まず、ガーゼや板状の洗浄綿などのパッドを押さえ板１０の裏面に押し当てる。これにより、押さえ板１０の裏面に固定される滑り止め部材３０の突起３２がパッドに刺さるとともに、パッドを構成する繊維に対して突起３２の係合部が引っ掛かることになる。この状態で、目に押さえ板１０と一体となったパッドＰを当て、耳掛け紐を両耳に掛けることで押さえ板１０とパッドＰを固定する。パッドＰは、滑り止め部材３０により容易にずれることがない。また、パッドＰを交換する際には、眼帯Ｘを一端顔から取り外し、パッドＰを手で持ち上げれば突起３２とパッドＰとの係合が容易に解けるので、古いパッドを取り除き、新しいパッドＰを交換して再び眼帯を装着すれば足りる。このように、本実施形態に係る眼帯Ｘは、パッドＰのずれが抑えられるとともに、パッドＰの交換も容易に行うことができる。
【図面の簡単な説明】
【０００８】
【図１】実施形態に係る眼帯を示す一部拡大斜視図である。
【図２】滑り止め部材の拡大縦断面図である。
【符号の説明】
【０００９】
Ｘ  眼帯
１０  押さえ板
２０  耳掛け紐
３０  滑り止め部材
３１  基材
３２  突起
【図１】
0003130654.tif 000003
【図２】
0003130654.tif 000004
(57)【要約】  【課題】耳掛け紐により固定する眼帯において、簡単に装着でき、さらに、耳の裏を締め付けすぎないようにすることを課題とする。  【解決手段】目を覆う眼帯本体と、眼帯本体の両側に設けられる両耳に掛けて前記眼帯本体を固定する、輪を形成する耳掛け紐とを有する眼帯において、一方の耳掛け紐を、ゴム紐により形成し、他方の耳掛け紐は弾性のない紐により形成する。これにより、ゴム紐部分によって長さ調整ができるために装着が簡単であり、一方のみがゴム紐であるので、両方の耳の裏が締め付けられすぎることが抑制される。【選択図】  図１
0003130653.tif 000002
【実用新案登録請求の範囲】
【請求項１】
目を覆う眼帯本体と、眼帯本体の両側に設けられる両耳に掛けて前記眼帯本体を固定する、輪を形成する耳掛け紐とを有する眼帯において、
一方の耳掛け紐は、ゴム紐により形成され、他方の耳掛け紐は弾性のない紐により形成されることを特徴とする眼帯。
【請求項２】
前記弾性の無い紐により形成される眼帯は、前記形成する輪の大きさが調整可能に形成される請求項１に記載の眼帯。
【考案の詳細な説明】
【技術分野】
【０００１】
本考案は眼帯に関し、特に、耳掛け紐により耳に掛けて固定する眼帯に関する。
【背景技術】
【０００２】
目を保護するために使用する眼帯は、プラスチックなどの板体から形成された眼帯本体と、眼帯本体の両側縁近傍に固定される両耳に掛けて眼帯本体を固定する耳掛け紐とから構成される。耳掛け紐は通常、ゴム紐を輪状にしたものや、伸縮性の無い紐の両端を２本設け、これらの端を結んで輪状にするものや、輪状の伸縮性の無い紐を、輪を閉じるように重ねた先端に、重ねた紐がややきつく嵌入できるパイプなどを嵌めこむことで輪の大きさを調整できるようにしたものなどがある。
【考案の開示】
【考案が解決しようとする課題】
【０００３】
このような耳掛け紐のうち、両方がゴム紐で形成されているものは、ゴムが両方の耳を引っ張るのでゴムが強い場合は特に耳の裏が痛くなってしまう。紐を結ぶものや、パイプなどで輪の大きさを調整するものは、使用者に応じて耳掛け紐の輪の大きさを変えることができるので、耳の裏が痛くなるようなことはないが、両方の輪の大きさを調整するのは困難であり、装着に時間がかかるという問題がある。
本考案は、このような問題に鑑みて、耳掛け紐により固定する眼帯において、簡単に装着でき、さらに、耳の裏を締め付けすぎないようにすることを課題とする。
【課題を解決するための手段】
【０００４】
上記課題を解決するために、本考案は次のような構成を有する。
請求項１に記載の考案は、目を覆う眼帯本体と、眼帯本体の両側に設けられる両耳に掛けて前記眼帯本体を固定する、輪を形成する耳掛け紐とを有する眼帯において、一方の耳掛け紐は、ゴム紐により形成され、他方の耳掛け紐は弾性のない紐により形成されることを特徴とする眼帯である。なお、ゴム紐には、丸ゴム、組みゴム（コールゴム）、織りゴム、編みゴム、ゴムテープなどが含まれる。また、弾性の無い紐には、綿素材の紐、麻素材の紐、絹素材の紐等の他、ナイロン、ビニロン等の弾性力がない非エラストマーの合成樹脂により形成される紐が含まれる。さらに、耳掛け紐が形成する「輪」は、耳掛け紐のみで輪を形成する場合のほか、眼帯本体とともに輪を形成する場合が含まれる。
請求項２に記載の考案は、前記眼帯において、前記弾性の無い紐により形成される眼帯は、前記形成する輪の大きさが調整可能に形成されるものである。
【考案の効果】
【０００５】
請求項１に記載の考案は、一方が弾性の無い紐で一方がゴム紐により形成されるので、ゴム紐部分によって長さ調整ができるために装着が簡単であり、一方のみがゴム紐であるので、両方の耳の裏が締め付けられすぎることを抑制することができる。
請求項２に記載の考案は、弾性の無い紐の輪の大きさを調整可能に形成することで、輪の大きさの調整を片側だけで行えば足りるので、比較的装着が簡単であり、また、輪の大きさを調整することで耳の裏の締め付け具合も痛くないように適宜調整することができる。
【考案を実施するための最良の形態】
【０００６】
以下、本考案の実施の形態について説明する。
図１に本実施形態に係る眼帯Ｘの正面図を示す。眼帯Ｘは、プラスチック製の長方形状の板体により形成される眼帯本体１０と、眼帯本体１０の一方の側縁部近傍に固定される輪状のゴム紐により形成されるゴム製耳掛け紐２０と、眼帯本体１０の他方の側縁部近傍に固定される綿により形成されたより紐を輪状に形成した非弾性耳掛け紐３０とから構成される。ゴム性耳掛け紐２０は、織りゴム紐により形成され、眼帯本体１０の一方の縁部近傍の上方と下方に形成される各穴を正面側から通り、本体側の背面側で端部が連結されることで輪状に形成されている。非弾性耳掛け紐３０も同様に、眼帯本体１０の一方の縁部近傍の上方と下方に形成される各穴を正面側から通り、本体側の背面側で端部が連結されることで輪状に形成されている。ゴム製耳掛け紐２０は、装着する目側の耳に掛けることが想定されており、非弾性耳掛け紐３０よりも短く形成されている。
【０００７】
このような構成を有する眼帯Ｘは、使用に際しては、まず、ゴム製耳掛け紐２０を一方の耳に掛けた後に、眼帯本体１０と目の間にガーゼなどを挟んで固定し、非弾性耳掛け紐３０を他方の耳に掛けて眼帯本体１０を固定する。なお、耳掛け紐は非弾性耳掛け紐３０から先に掛けるようにしてもよい。本実施形態に係る眼帯Ｘはこのような構成により、簡単に装着できるとともに、ゴム製の耳掛け紐が片側だけなので締め付けられる程度が弱く、耳の裏の締め付け感を低減させることができる。
【０００８】
なお、非弾性耳掛け紐は、輪の大きさを調整できるようにしてもよい。例えば、図２（ａ）に示す眼帯Ｙのように、非弾性耳掛け紐４０を構成する輪を切断しておき、装着時に両端を結ぶことで輪の大きさを調整できるようにしたり、図２（ｂ）に示す眼帯Ｚのように、非弾性耳掛け紐５０の輪を重ねた先端から重ねた紐がややきつく嵌入できるパイプ５１を通し、パイプ５１の位置を変えることで輪の大きさを調整できるようにしてもよい。このように構成することで、ゴム製耳掛け紐２０による締め付け力も調整でき、装着感を高めることができる。
【図面の簡単な説明】
【０００９】
【図１】実施形態に係る眼帯を示す正面図である。
【図２】（ａ）（ｂ）ともに実施形態に係る眼帯の変形例を示す正面図である。
【符号の説明】
【００１０】
Ｘ、Ｙ、Ｚ  眼帯
１０  眼帯本体
２０  ゴム製耳掛け紐
３０、４０、５０  非弾性耳掛け紐
【図１】
0003130653.tif 000003
【図２】
0003130653.tif 000004
(57)【要約】【課題】  複数回の貼り替えができる使い捨てカイロを提供する。【解決手段】  表面シートに直線や曲線で櫛状または渦状の切れ目を入れることにより、表面シートの一部を剥がせるようにしたことを特徴とする。【選択図】  図２
0003130652.tif 000002
【実用新案登録請求の範囲】
【請求項１】
粘着剤上に表面シートが剥がし得るように貼られた使い捨てカイロにおいて、前記表面シートには切れ目が設けられ、前記切れ目は櫛状または渦状であることを特徴とする使い捨てカイロ。
【考案の詳細な説明】
【技術分野】
【０００１】
本考案は、使い捨てカイロ貼付のための表面シートに関するものである。
【背景技術】
【０００２】
使い捨てカイロを使用するときに表面シートを剥がすのは、使い捨てカイロを衣服に貼付するためである。  
【０００３】
最近は、表面シートの中央に切れ目を入れ、表面シートを剥がし易くしている。
【特許文献１】特許公開２００６−１１６１７１号公報
【特許文献２】特許公開２００２−３６０６２４号公報
【特許文献３】特許公開２００２−２３８９３８号公報
【特許文献４】特許公開２０００−８０３３７号公報
【考案の開示】
【考案が解決しようとする課題】
【０００４】
従来、使い捨てカイロを使用するとき、表面シートを一度に剥がすため、使い捨てカイロを貼った場所を変えたいとき、使い捨てカイロを衣服から剥がしてから貼るために粘着力が落ち衣服にうまく貼れない。あるいは、長時間使い捨てカイロを同一場所に貼っていて、低温やけどになることもある。
【課題を解決するための手段】
【０００５】
本考案は、前述のような問題点に鑑み、表面シートに直線や曲線で櫛状または渦状の切れ目を入れ、表面シートの一部を剥がせるようにしたものである。
【考案の効果】
【０００６】
本考案は切れ目が櫛状または渦状になっているため、櫛状または渦状の切れ目に沿って、櫛状または渦状の表面シートの一部を剥がすと櫛状または渦状の表面シートの形で粘着剤が粘着部分の広範囲にわたって表面に現れ、粘着力の低下を抑えるため、使い捨てカイロを衣服に貼ることができる。さらに、一度貼った使い捨てカイロを衣服から剥がしてのち、剥がしていない櫛状または渦状の表面シートの一部を剥がすと前述同様に櫛状または渦状の表面シートの形で粘着剤が粘着部分の広範囲にわたって新たに表面に現れるため、前述同様の効果があり、複数回使い捨てカイロを貼り替えて使用することができる。そのため、使い捨てカイロを貼る場所を変えることにより、低温やけどの予防にもなるし、経済的でもある。
【考案を実施するための最良の形態】
【０００７】
以下、本考案の実施の形態について説明する。図１、図２、図３は表面シートの切れ目が１本で櫛状の例を示している。使い捨てカイロ本体１に、櫛状の切れ目３の入った表面シート２が貼ってある。
【０００８】
表面シートの櫛状の切れ目３に沿って、櫛状の表面シートの一部４を剥がすと櫛状の表面シートの一部５が残る。このとき、櫛状の表面シートの一部４を剥がすことにより、櫛状の表面シートの一部４の形で粘着剤が表面に現れ粘着面４ａとなる。表面シートの一部４が櫛状をしているため、表面に現れた粘着剤が偏ることなく、粘着剤が粘着部分の広範囲にわたって分布する図２のようになり、粘着力の低下を抑えられ、しっかりと衣服に貼ることができる。
【０００９】
この状態で、使い捨てカイロを使用し、適当なときに使い捨てカイロを衣服から剥がす。続いて剥がしていなかった櫛状の表面シートの一部５を剥がすと櫛状の表面シートの一部５の形で粘着剤が新たに表面に現れ粘着面５ａとなるため、前述同様に粘着力の低下を抑えることができ、表面シートをすべて剥いだ図３の状態になった使い捨てカイロを再度、衣服に貼って使用する。なお、切れ目の数や切れ目の入れ方ならびに粘着力の強い粘着剤を用いることによって３回以上の貼り替えも可能になる。
【００１０】
図４、図５、図６は表面シートの切れ目が渦状の例を示しているが、図１、図２、図３の３、４、４ａ、５、５ａと図４、図５、図６の６、７、７ａ、８、８ａが対応しており、櫛状の切れ目の場合と同様の理由で粘着力の低下を抑えることができる。なお、本実施例では直線で櫛状または渦状の切れ目を入れてあるが、丸みをおびた曲線で櫛状または渦状の切れ目を入れてもよい。
【図面の簡単な説明】
【００１１】
【図１】本考案の櫛状の切れ目の入った表面シートを示す正面図である。
【図２】表面シートの櫛状の一部を剥がした残りの櫛状の表面シートを示す正面図である。
【図３】表面シートを全部剥がした使い捨てカイロの正面図である。
【図４】本考案の渦状の切れ目の入った表面シートを示す正面図である。
【図５】表面シートの渦状の一部を剥がした残りの渦状の表面シートを示す正面図である。
【図６】表面シートを全部剥がした使い捨てカイロの正面図である。
【符号の説明】
【００１２】
１は使い捨てカイロ本体
２は表面シート
３は切れ目  
４は表面シートの一部  
４ａは粘着面
５は表面シートの一部
５ａは粘着面
６は切れ目
７は表面シートの一部
７ａは粘着面
８は表面シートの一部
８ａは粘着面    
【図１】
0003130652.tif 000003
【図２】
0003130652.tif 000004
【図３】
0003130652.tif 000005
【図４】
0003130652.tif 000006
【図５】
0003130652.tif 000007
【図６】
0003130652.tif 000008